(57)【特許請求の範囲】
【請求項１】
起動用トリガバルブと、このトリガバルブを作動させるトリガレバーと、回動により上記トリガレバーに係脱可能に設けられた軸状のトリガロックとを備えた釘打機において、
上記起動用トリガバルブのバルブハウジングを、釘打機本体に形成した凹部内に嵌め込み、上記トリガロックを、上記凹部の開口側で、上記バルブハウジングを上記凹部から抜き出すために要するスペースの外に配置するとともに、
釘打機本体には、上記トリガロックの両側端を回動自在に支持する取付片と、上記トリガレバーと反対側で上記トリガロックの中央部を受ける受け部とを形成した
ことを特徴とする釘打機のトリガロック機構。
【発明の詳細な説明】
【０００１】
【発明の属する技術分野】
本発明は釘打機の起動用トリガレバーをロックして誤動作を防止するトリガロック機構に関する。
【０００２】
【従来技術】
一般に、釘打機は起動用トリガレバーの引き操作によって起動するが、危険を防止するため、さらに釘打機に設けられたコンタクトアームの先端が被打込み材に押し付けられない限り作動しないように構成されている。このように、トリガレバーを引いただけでは作動しないので、不使用時に釘打機を持ち歩くときにも作業者はトリガレバーに指を掛けた状態で移動する傾向が強い。したがって、この状態で釘打機のコンタクトアームが何らかの部材に当たってコンタクトアームを押し込むと、釘打機は起動するので、予期しない事故が起こる可能性がある。このため、不使用時にはトリガレバーが作動しないようにロックするトリガロックが設けられている。
【０００３】
トリガロックは断面が半円形の軸状体で、トリガレバーの背面側に配置されている。トリガロックの端部にはダイヤルがｗｓピンで固定されている。ダイヤルを回してトリガロックの曲面をトリガレバーに向けると、上記曲面がトリガロックに係合するのでトリガレバーを引き操作することができない。ダイヤルを反対側に回すと、トリガロックの切り欠かれた平面がトリガレバーに向き合うので、トリガレバーは引き操作することができるのである。
【０００４】
【発明が解決しようとする課題】
しかしながら、トリガロックは鉄製からなるので、部品コストが高い。また、トリガバルブは市場で分解しなければならない場合があるが、トリガバルブの構成部品を取り外すときに、トリガロックはその取り外し作業に邪魔になる位置にレイアウトされていた。このため、まずトリガロックを取り外さなければならなかった。しかも、トリガロックの取り外しにはｗｓピンを外さなければならないが、ｗｓピンは小さくて掴みにくく、また叩き出すためのハンマーを必要とする。したがって、作業が非常に煩雑であった。
【０００５】
本発明は上記問題点を解消し、トリガロックを合成樹脂から構成することにより部品コストを下げることができるとともに、合成樹脂であっても十分な強度を確保することができるトリガロック機構を提供すること、またトリガバルブの分解作業の邪魔にならないようにしたトリガロック機構を提供することをその課題とする。
【０００６】
【課題を解決するための手段】
前記課題を解決するため、本発明に係る釘打機のトリガロック機構は、起動用トリガバルブと、このトリガバルブを作動させるトリガレバーと、回動により上記トリガレバーに係脱可能に設けられた軸状のトリガロックとを備えた釘打機において、上記起動用トリガバルブのバルブハウジングを、釘打機本体に形成した凹部内に嵌め込み、上記トリガロックを、上記凹部の開口側で、上記バルブハウジングを上記凹部から抜き出すために要するスペースの外に配置するとともに、釘打機本体には、上記トリガロックの両側端を回動自在に支持する取付片と、上記トリガレバーと反対側で上記トリガロックの中央部を受ける受け部とを形成したことを特徴とする。
【０００７】
【発明の実施の形態】
図１は釘打機の一部の断面図である。この釘打機は圧縮空気によって作動するもので、１は釘打機本体、２はグリップを示す。釘打機本体１には起動用トリガバルブ３と、トリガレバー４と、コンタクトアーム５とが配置されている。
【０００８】
トリガバルブ３は公知のものと同じで、バルブハウジング６、ハウジングキャップ７、パイロットバルブ８、バルブステム９、バネ１０等から成り、バルブハウジング６は釘打機本体１に形成された凹部１１に嵌め込まれ、ピン２５で固定されている。バルブステム９の先端はバネ１０によりトリガレバー４側に突出するように付勢されている。上記トリガバルブ３はバルブステム９を押し込むことにより作動し、メインバルブ（図示せず）に通じるエア通路１４を圧縮空気を貯留したエアチャンバ１５又は大気に選択的に開くことによってメインバルブを開閉させ、これによって釘打ち込み用打撃機構（図示せず）の作動を制御するものである。
【０００９】
トリガレバー４は支軸１６に回動自在に支持されているもので、内部には上記トリガバルブ３のバルブステム９に対向する位置にコンタクトレバー１７が軸着されている。なお、トリガレバー４はバネ１８によりバルブステム９から遠ざかるように付勢されているとともに、単にトリガレバー４を引いただけでは、コンタクトレバー１７がバルブステム９に当接しないように構成されている。また、トリガレバー４の支軸１６側の端部には係合片１９が形成されている。
【００１０】
コンタクトアーム５の一端５ａ（図の下端）は釘の射出部（図示せず）に沿って配置され、他端（図の上端）にはＬ字金具２０が取り付けられ、このＬ字金具２０は内部が中空のアームガイド２１によって上下動自在に案内されるとともに、Ｌ字金具２０の上端は上記トリガバルブ３のコンタクトレバー１７の下面に当接している。アームガイド２１の中空部にはバネ１２が納められ、バネ１２の下端はＬ字金具２０の底面に、上端はアームガイドピン２２に係合している。バネ１２により、コンタクトアーム５は常時射出部の下方に突出するように付勢されている。
【００１１】
上記構成により、コンタクトアーム５の下端を被打込み材に押し付けることにより、コンタクトアーム５がバネ１２に抗して上動し、上端のＬ字金具２０が上方に移動してその垂直片２０ａがコンタクトレバー１７を突き上げた状態でトリガレバー４を引くことによって初めてコンタクトレバー１７がトリガバルブ３のバルブステム９を押し込み、釘打機を起動させることができる。
【００１２】
ところで、釘打機本体１のトリガレバー４の背面側には上記トリガレバー４の作動を不可能にするトリガロック２３が配置されている。トリガロック２３は合成樹脂からなる軸状の部材で、しかもトリガレバー４の係合片１９に対向する部位には断面が中心から１２０°が切欠きされた非円形状の切欠き部３０が形成されている。なお、切欠き部３０の中心からの角度は１２０°に限定されない。例えば９０°でもよい。
【００１３】
釘打機本体１には図２に示されるように、トリガロック２３の両端を回動自在に支持する取付片２８が形成されている。また、釘打機本体１にはトリガレバー４と反対側でトリガロック２３の中央部を受ける受け部２９が形成されている。
【００１４】
なお、トリガロック２３の一端にはダイヤル２７が固定されている。すなわち、図３(a) (b) に示すように、トリガロック２３の一端は断面がＤ字状に形成されているとともに、二股のスナップ片２４が形成され、これに対しダイヤル２７の中央孔もＤ字状に形成されているとともに、挿入されたスナップ片２４に係合する係合壁２６が形成されている。これによって、ダイヤル２７はトリガロック２３と一体となり、ダイヤル２７によってトリガロック２３を回動操作することができる。
【００１５】
ところで、上記トリガロック２３は図４のようにトリガバルブ３を釘打機本体１の凹部１１から下方に引き出すスペースＳの外に配置されている。
【００１６】
上述のトリガロック機構によれば、釘打機使用時には図５(a) のようにダイヤル２７を回してトリガロック２３の切欠き部３０がトリガレバー４の係合片１９に臨むようにする。この状態でトリガレバー４を引くと、係合片１９は切欠き部３０の内側に入り込むことができるから、トリガレバー４を必要なだけ作動させることができる。
【００１７】
これに対し、釘打機を使用しないときは同図(b) のようにダイヤル２７によってトリガロック２３の曲面３１がトリガレバー４の係合片１９に臨むようにする。この状態でトリガレバー４を引くと、係合片１９はトリガロック２３の曲面３１に係合するので、トリガレバー４を引き操作することができない。このため、釘打機の持ち歩き時等にコンタクトアーム５が偶然に何らかの物品に当たって釘打ち作動するという不測の事故を有効に防止することができる。
【００１８】
また、トリガロック２３はトリガレバー４の支軸１６の近傍に配置されているから、係合片１９がトリガロック２３の表面に係合した状態でトリガレバー４を引く力があまり大きくなくても、てこの原理によりトリガロック２３には大きな力が作用するが、トリガロック２３の中央部は釘打機の受け部２９に係合するので、トリガロック２３は変形することがない。したがって、トリガロック２３は合成樹脂から構成することにより部品コストを下げることができ、しかも受け部２９からの補強によって十分な強度を確保することができる。
【００１９】
さらに、トリガバルブ３を分解する必要が生じた場合、トリガバルブ３のバルブハウジング６を釘打機本体１の凹部１１から下方に引き出さなければならないが、トリガロック２３はトリガバルブ３を引きだすためのスペースの外に配置されているから、図４のようにトリガロック２３と関係なくトリガバルブ３のみを引き出して分解することができる。
【図面の簡単な説明】
【図１】本発明に係る釘打機の一部の断面図
【図２】ロック機構の要部の斜視図
【図３】(a) (b) はそれぞれトリガロック機構のダイヤルの縦断面図及び横断面図
【図４】トリガバルブの取り出し態様説明図
【図５】(a) (b) はそれぞれトリガロック機構構の作動態様説明図
【符号の説明】
３  トリガバルブ
４  トリガレバー
２３  トリガロック
２９  受け部
【図１】
0003620180.tif 000002
【図２】
0003620180.tif 000003
【図３】
0003620180.tif 000004
【図４】
0003620180.tif 000005
【図５】
0003620180.tif 000006